(57)【要約】  所定の部材に設置するための、薄い筐体および照明装置を提供する。電源格納部（３０）は、天井（５０）に設置するための筐体であって、天井（５０）に対向する対向面（Ｓ）と、対向面（Ｓ）の一領域から天井（５０）側に突出している突出部（３４）と、対向面（Ｓ）の他の領域から天井（５０）側に突起しており、天井（５０）に接する突起（３３）とを備える。
2016052485.tif 000002
【特許請求の範囲】
【請求項１】
所定の部材に設置するための筐体であって、
上記部材に対向する対向面と、
上記対向面の一領域から上記部材側に突出している突出部と、
上記対向面の他の領域から上記部材側に突起しており、上記部材に接する突起と、
を備える筐体。
【請求項２】
上記突出部が上記部材側に突出している長さは、上記突起が上記部材側に突起している長さよりも小さいことを特徴とする請求項１に記載の筐体。
【請求項３】
上記突出部の周縁には、上記筐体に格納する物品を差し込むための穴が設けられていることを特徴とする請求項１または２に記載の筐体。
【請求項４】
上記筐体の形状は、円板形状、ドーム形状、および多角柱形状、ならびに、これらを組み合わせた形状のいずれかであることを特徴とする請求項１から３のいずれか一項に記載の筐体。
【請求項５】
請求項１から４のいずれか一項に記載の筐体と、
上記筐体の、上記突出部が設けられている位置の内部に、少なくとも一部が格納されている電源部と、
上記電源部から電力を供給され発光する光源と、
を備えることを特徴とする照明装置。
【発明の詳細な説明】
【技術分野】
【０００１】
本発明は、所定の部材に設置するための筐体と、この筐体を利用する照明装置とに関する。
【背景技術】
【０００２】
従来の照明装置では、その設置面を平坦にして、天井に面接触させることが多かった。しかし、天井面が凹凸である場合、この設置面を天井に対し良好に接触させられない。このため、照明装置の搭載不良（ガタ）が発生していた。【０００３】
特許文献１は、設置面として突起した当接面（いわゆる「ダボ」）を設けた電源ケースを備えた照明装置を開示している（段落[0042]、図５）。特許文献１には、この電源ケースを、天井面の表面の状態にかかわらず天井に固定できると記載されている。
【先行技術文献】
【特許文献】
【０００４】
【特許文献１】日本国公開特許公報「特開２００９−１８１８１３号公報（２００９年８月１３日公開）」
【発明の概要】
【発明が解決しようとする課題】
【０００５】
上述の従来の照明装置およびその筐体は、厚くなる傾向にある。なぜならば、照明装置において、その光源などに電力を供給する電源部は、一定以上の厚みにならざるを得ず、この電源部を格納する電源格納部も、厚くなるからである。特に、特許文献１の照明装置は、その電源ケースに突起した当接面を設けているため、さらに厚くなる。【０００６】
本発明は、以上の問題を鑑み、所定の部材に設置するための、薄い筐体および照明装置を提供することを目的とする。
【課題を解決するための手段】
【０００７】
上記の課題を解決するために、本発明の第１の態様に係る筐体は、所定の部材に設置するための筐体であって、上記部材に対向する対向面と、上記対向面の一領域から上記部材側に突出している突出部と、上記対向面の他の領域から上記部材側に突起しており、上記部材に接する突起とを備える。【０００８】
本発明の第２の態様に係る照明装置は、上記第１の態様における筐体と、上記筐体の、上記突出部が設けられている位置の内部に、少なくとも一部が格納されている電源部と、上記電源部から電力を供給され発光する光源とを備える。
【発明の効果】
【０００９】
本発明の各態様によれば、筐体および照明装置を薄くできる。さらに、筐体および照明装置を設置する対象である部材の凹凸を吸収できる。
【図面の簡単な説明】
【００１０】
【図１】実施形態１の照明装置の構成を示す斜視図である。
【図２】図１に示される照明装置の詳細構成を示す正面図・側面図・上面図である。
【図３】図１に示される照明装置の電源格納部の構成を示す正面図・底面図・上面図である。
【図４】図１に示される照明装置の光源格納部の構成を示す正面図・上面図・斜視図である。
【図５】図４に示される光源格納部のバネ部の構成を示す上面図・正面図・側面図である。
【図６】図３に示される電源格納部のバネ受け部の構成を示す上面図・正面図・側面図である。
【図７】図５に示されるバネ部と、図６に示されるバネ受け部とを接続した構成を示す正面図である。
【図８】図４に示される光源格納部のサイドカバーの構成を示す斜視図である。
【図９】図８に示されるサイドカバーの詳細構成を示す上面図・正面図・下面図・側面図・断面図である。
【図１０】図４に示される光源格納部のカバーの構成を示す斜視図である。
【図１１】図１０に示されるカバーの詳細構成を示す側面図・正面図である。
【図１２】比較例の照明装置と、実施形態１の照明装置とについて、照明装置の構成を比較する断面図である。
【図１３】実施形態１の照明装置と、実施形態２の照明装置とについて、複数の照明装置を連結した構成を比較する断面図である。
【図１４】図１３に示される照明装置の構成を示す平面図である。
【図１５】実施形態３の照明装置の構成を示す断面図である。
【図１６】実施形態４の照明装置の電源格納部の構成を示す断面図・側面図である。
【図１７】実施形態５の照明装置の構成を示す上面図・正面図である。
【図１８】実施形態６の照明装置の構成を示す正面図である。
【図１９】実施形態７の照明装置の構成を示す上面図・断面図である。
【発明を実施するための形態】
【００１１】
〔実施形態１〕
≪照明装置の構成≫
図１は、本実施形態の照明装置２０の構成を示す斜視図である。
【００１２】
図１に示されるように、照明装置２０は、電源格納部３０（筐体）と、光源格納部４０とを備える。照明装置２０は、電源格納部３０側から所定の部材（例えば天井）に装着される。
【００１３】
図２は、図１に示される照明装置２０の詳細構成を示す図であって、（ａ）は正面図であり、（ｂ）は側面図であり、（ｃ）は上面図である。
【００１４】
図２の（ａ）に示されるように、電源格納部３０と、光源格納部４０とは、互いに接続されている。電源格納部３０には、複数の解除穴３１が設けられている。解除穴３１は、電源格納部３０と光源格納部４０との接続の解除に利用される。
【００１５】
図２の（ｂ）に示されるように、電源格納部３０は、ノックアウト３２を備える。ノックアウト３２を打つまたは切ることにより、電源格納部３０の内部に通じる穴を設けることができる。
【００１６】
図２の（ｃ）に示されるように、電源格納部３０は、複数の突起３３と、突出部３４（突出部）とを備える。電源格納部３０には、複数の取付穴３５と、複数の配線穴３６（交流電圧の電線を通す穴）とが設けられている。取付穴３５は、照明装置２０を所定の部材に取り付けるために利用される。配線穴３６は、照明装置２０の内部に配線を引き込むために利用される。突出部３４は、取付穴３５と配線穴３６との間に形成されている。
【００１７】
（電源格納部）
電源格納部３０は、照明装置２０の光源などに電力を供給する電源部８（物品）を格納する。
【００１８】
図３は、図１に示される照明装置２０の電源格納部３０の構成を示す図であって、（ａ）は正面図であり、（ｂ）は（ａ）に示される範囲Ａの底面図であり、（ｃ）は（ａ）に示される範囲Ｂの底面図であり、（ｄ）は範囲Ｂの上面図である。なお、電源格納部３０の、光源格納部４０に対向する側を底面とし、この底面の反対側を上面としている。
【００１９】
図３の（ａ）に示されるように、電源格納部３０は、本体シャーシ７と、電源端子台９と、調光端子台１０と、複数のバネ受け部１１とを備える。
【００２０】
電源部８は、電源格納部３０の、突出部３４が設けられた位置（図３の（ａ）において斜線で示される位置）に格納される。具体的には、突出部３４は、電源格納部３０の内面において凹部になっている。そして、電源部８は、この凹部に格納される。
【００２１】
図３の（ｂ）に示されるように、電源格納部３０は、第１配線３９をさらに備える。第１配線３９の一端は、電源部８に接続されている。また、第１配線３９の他端には、コネクタ３９１が取り付けられている。電源部８は、交流電圧を受け、第１配線３９を介し直流電圧を後述のＬＥＤに供給する。
【００２２】
図３の（ｃ）に示されるように、電源端子台９と、調光端子台１０とは、本体シャーシ７に取り付けられている。上述の突起３３と、突出部３４とは、本体シャーシ７に設けられている。電源端子台９および調光端子台１０は、それぞれ、電源部８に配線で接続されている。
【００２３】
図３の（ｃ）〜（ｄ）に示されるように、配線穴３６の縁に、絶縁キャップ３６１が取り付けられている。これにより、電線が金属製の本体シャーシ７で擦れてショートすることを防止できる。特に、突起３３により、本体シャーシ７と、照明装置２０が装着される部材（天井など）との間に隙間が形成される場合には、上述の交流電線（配線穴３６を通る電線）は、この隙間を動きやすい。この場合にも、絶縁キャップ３６１は、上述のショートを有効に防止できる。
【００２４】
（光源格納部）
光源格納部４０は、電源格納部３０に取り付けられており、複数の発光ダイオード（ＬＥＤ）を格納している。
【００２５】
図４は、図１に示される照明装置２０の光源格納部４０の構成を示す図であって、（ａ）は正面図であり、（ｂ）は（ａ）に示される範囲Ｃの上面図であり、（ｃ）は（ｂ）においてサイドカバー２が外された状態を示し、（ｄ）は範囲Ｃの斜視図であり、（ｅ）は（ｄ）においてサイドカバー２が外された状態を示す。なお、光源格納部４０の、電源格納部３０に対向する側を上面としている。
【００２６】
図４の（ａ）に示されるように、光源格納部４０は、カバー１と、複数のサイドカバー２と、反射板３と、ＬＥＤ実装基板４（光源）と、複数のバネ部５と、複数の落下防止ヒモ６とを備える。サイドカバー２は、光源格納部４０の両端を覆っている。より具体的には、サイドカバー２は、カバー１と反射板３とによって規定される開口部分の一端と、この開口部分の他端とを、それぞれ覆っている。ＬＥＤ実装基板４は、カバー１に覆われており、かつ、反射板３に固定されている。バネ部５は、上述のバネ受け部１１に接続・固定されることにより、光源格納部４０を電源格納部３０に接続・固定する。さらに、バネ部５は、カバー１と反射板３との位置関係を固定している。
【００２７】
（電気的接続）
図４の（ｂ）・（ｄ）に示されるように、光源格納部４０は、第２配線４９（直流電圧供給線）を備える。この第２配線４９の一端は、後述するようにＬＥＤ実装基板４（ＬＥＤ）から引き出されている。また、第２配線４９の他端には、コネクタ４９１が取り付けられている。そして、コネクタ４９１と、上述のコネクタ３９１とが接続されることにより、ＬＥＤ実装基板４と、電源部８とが、電気的に接続される。すなわち、ＬＥＤ実装基板４のＬＥＤは、電源格納部３０に格納された電源部８と配線によって電気的に接続されている。具体的には、電源格納部３０は、電源部８から引き出された第１配線３９を有する一方、光源格納部４０は、ＬＥＤ実装基板４から引き出された第２配線４９を有している。また、第１配線３９と第２配線４９とは、それぞれコネクタを有しており、これらのコネクタが接続されることにより、電気的に接続される。
【００２８】
ここで、サイドカバー２と反射板３との間には、第２配線４９を通す穴（隙間）が設けられている。また、図４の（ｃ）・（ｅ）に示されるように、反射板３の範囲Ｄには、開口部が設けられている。ＬＥＤ実装基板４は、この開口部からサイドカバー２側に露出している。そして、第２配線４９は、この隙間と開口部とを介し、ＬＥＤ実装基板４に接続されている。
【００２９】
第２配線４９を通す隙間には、スポンジ１９が取り付けられており、この隙間は塞がれている。これにより、ＬＥＤ実装基板４に、埃や虫が侵入することを防止できる。スポンジ１９を用いることにより、隙間の形状に合わせてスポンジ１９を容易に変形させながら、隙間を塞ぐことができる。また、スポンジ１９は第２配線４９よりも軟らかい材料である。このため、第２配線４９のダメージを低減でき、その短絡を防止できる。さらに、スポンジ１９は、接着部材（隙間を塞ぐ部材）とは異なり、サイドカバー２に対し、容易に何度も繰り返して取り付けたり取り外したりすることが可能である。
【００３０】
（バネ部・バネ受け部）
図５は、図４の（ａ）に示される光源格納部４０のバネ部５の構成を示す図であって、（ａ）は上面図であり、（ｂ）は正面図であり、（ｃ）は側面図である。
【００３１】
図５の（ａ）〜（ｃ）に示されるように、バネ部５は、弾性を有する端部５１を備える。
【００３２】
図６は、図３の（ａ）に示される電源格納部３０のバネ受け部１１の構成を示す図であって、（ａ）は上面図であり、（ｂ）は正面図であり、（ｃ）は側面図である。
【００３３】
図６の（ａ）〜（ｃ）に示されるように、バネ受け部１１は、バネ部５の端部５１と噛み合わされる端部１１１を備える。
【００３４】
図７は、図５に示されるバネ部５と、図６に示されるバネ受け部１１とを接続した構成を示す正面図である。
【００３５】
図７に示されるように、バネ部５の端部５１と、バネ受け部１１の端部１１１とが、噛み合うように、バネ部５と、バネ受け部１１とは、接続される。
【００３６】
（サイドカバー）
図８は、図４の（ａ）に示される光源格納部４０のサイドカバー２の構成を示す斜視図である。
【００３７】
図９は、図８に示されるサイドカバー２の詳細構成を示す図であって、（ａ）は上面図であり、（ｂ）は正面図であり、（ｃ）は下面図であり、（ｄ）は側面図であり、（ｅ）は（ｂ）とは反対側の正面図であり、（ｆ）は（ｂ）の範囲Ｐの拡大図であり、（ｇ）は（ｂ）のＡ−Ａ断面を示す断面図であり、（ｈ）は（ｂ）のＢ−Ｂ断面を示す断面図である。
【００３８】
図８と、図９の（ａ）〜（ｇ）とに示されるように、サイドカバー２は、光源格納部４０の内部に挿入される。サイドカバー２は、電源格納部３０との位置関係を定めるための位置決め部材２１を備える。ここで、サイドカバー２は、ＬＥＤの光を透過する部材であることが好ましい。
【００３９】
（カバー）
図１０は、図４の（ａ）に示される光源格納部４０のカバー１の構成を示す斜視図である。
【００４０】
図１１は、図１０に示されるカバー１の詳細構成を示す図であって、（ａ）は側面図であり、（ｂ）は正面図であり、（ｃ）は（ｂ）の範囲Ｑの拡大図である。
【００４１】
図１０と、図１１の（ａ）〜（ｂ）とに示されるように、カバー１は、一方向に湾曲している。図１１の（ｃ）に示されるように、カバー１の端部は、カバー１の内部を向いた凹部を形成している。カバー１の端部付近の部位は、所定の曲率を有するように形成されている。カバー１は、ＬＥＤの光を透過する。
【００４２】
（照明装置と部材との位置関係）
図１２は、照明装置の構成を比較する断面図であって、（ａ）は比較例の照明装置１２０を示し、（ｂ）は本実施形態の照明装置２０を示し、（ｃ）は（ｂ）に示される照明装置２０の突出部３４と突起３３との周囲を拡大したものを示す。なお、図１２の（ａ）〜（ｂ）では、説明を簡略化するために、１個の配線穴３６と、配線穴３６の右側に電源部８および突出部３４とを示している。図１２以降の図も、同様に簡略化されている。
【００４３】
（比較例の照明装置）
図１２の（ａ）に示されるように、照明装置１２０は、電源格納部１３０と、光源格納部１４０と、電源部１０８とを備える。照明装置１２０は、天井５０（部材）に設置されている。電源格納部１３０は、天井５０側に突起した複数の突起１３３を備える。配線１３７は、電源格納部１３０に設けられた配線穴１３６を介し、照明装置１２０の外部から電源部１０８まで配されている。電源部１０８は、配線１３７を介し、電力の供給を受ける。
【００４４】
以上の照明装置１２０は、厚くなる（天井５０の法線方向に長くなる）傾向にある。なぜならば、照明装置１２０において、光源などに電力を供給する電源部１０８が、一定以上の厚みにならざるを得ず、この電源部１０８を格納する電源格納部１３０も、厚くなるからである。
【００４５】
（本実施形態の照明装置）
図１２の（ｂ）に示されるように、本実施形態の照明装置２０は、電源格納部３０の突出部３４を設けている位置の内部に、電源部８を備える。照明装置２０は、天井５０に設置されている。配線３７は、電源格納部３０に設けられた配線穴３６を介し、照明装置２０の外部から電源部８まで配されている。電源部８は、配線３７を介し、電力の供給を受ける。
【００４６】
電源格納部３０は、天井５０に対向する対向面Ｓを有する。突出部３４は、対向面Ｓの取付穴３５（図２の（ｃ）参照）と配線穴３６との間の領域（一領域）から、天井５０側に突出している。突起３３は、対向面Ｓの端部付近の領域（他の領域）から天井５０に突起しており、天井５０に接している。
【００４７】
なお、照明装置２０の光源格納部４０は、電源部８から電力を供給され発光する光源であるＬＥＤ実装基板４（図４の（ａ）参照）を備える。
【００４８】
≪本実施形態の効果≫
（突出部の効果）
突出部３４により、電源部８の全体を格納できる内部空間が、電源格納部３０に形成される。そして、厚くなる傾向にある電源部８の少なくとも一部を突出部３４に格納することにより、電源格納部３０を、例えば数ｍｍ薄型化できる。つまり、突出部３４が、対向面Ｓよりも天井５０側に突出しているため、突出部３４以外での電源格納部３０の厚みを、突出部３４での電源格納部３０の厚みよりも薄くできる。なお、電源格納部３０が、より大きな照明装置または照明装置よりも大きな他の装置の筐体に利用される場合、薄型化により削減される電源格納部３０の厚みは、より大きくなる。
【００４９】
（突起の効果）
突起３３が、天井５０に接するため、天井５０と対向面Ｓとの間に空間を形成できる。また、仮に、電源格納部３０が突起３３を備えなければ、対向面Ｓは、天井５０に面接触する。天井５０の表面が凹凸である場合、電源格納部３０を、天井５０に対し良好に接触させられない（天井５０の凹凸を吸収できない）ことがある。しかし、突起３３は、突出部３４とは異なり、対向面Ｓから鋭く突き出ている。このため、電源格納部３０は、突起３３により天井５０の凹凸を吸収できる。
【００５０】
（突出部および突起の複合的な効果）
対向面Ｓにおいて、突出部３４が突出している領域と、突起３３が突起している領域とは、異なっているため、突出部３４の少なくとも一部は、この空間に突出できる。このため、電源格納部３０および照明装置２０を薄くできる。
【００５１】
（突起・突出部の高さ）
突出部３４の高さは、突起３３の高さより低いことが好ましい。突出部３４は、確実に、突起３３が形成した、天井５０と対向面Ｓとの間の空間に収まる。よって、天井５０の表面の一部が平坦でなくても、確実に、電源格納部３０を天井５０へ設置できる。
【００５２】
図１２の（ｃ）に示されるように、突起３３の高さとは、突起３３が天井５０側に突起している長さＬを意味する。また、突出部３４の高さとは、突出部３４が天井５０側に突出している長さｌを意味する。長さｌは、長さＬよりも小さい（ｌ＜Ｌ）。
【００５３】
〔実施形態２〕
本発明の第２実施形態について、図１３〜図１４に基づき説明する。なお、説明の便宜上、上述の実施形態にて説明した部材と同じ機能を有する部材については、同じ符号を付記し、その説明を省略する。
【００５４】
≪複数の照明装置を連結した構成≫
図１３は、本実施形態の、複数の照明装置を連結した構成を比較する断面図であって、（ａ）は複数の図１に示される照明装置２０を連結した構成を示し、（ｂ）は本実施形態の照明装置２０Ａ〜２０Ｄを連結した構成を示す。
【００５５】
図１３の（ａ）に示されるように、複数の照明装置２０を連結する場合、以下に列挙する処理が必要になることがある。
・すべての照明装置２０に配線穴３６（図２の（ｃ）参照）を設ける。
・配線３７から分岐させた配線を、照明装置２０の各電源部８まで引き回す。
【００５６】
天井裏（天井５０に対して照明装置２０とは反対側に存在する空間）が狭い場合、以上の処理では手間がかかる。
【００５７】
一方、図１３の（ｂ）に示されるように、本実施形態では、照明装置２０Ａ〜２０Ｄの内部（筐体内部）にて配線３７を中継・分岐している。このように照明装置２０Ａ〜２０Ｄを連結する場合、以下に列挙するように処理する。
・照明装置２０Ａにのみ配線穴３６を設ける。
・配線３７から照明装置２０Ａ〜２０Ｄの内部にて中継・分岐させた配線を、照明装置２０Ａ〜２０Ｄの各電源部８まで引き回す。
【００５８】
（配線を中継・分岐するための構成）
図１４は、図１３の（ｂ）に示される照明装置２０Ａ〜２０Ｄの構成を示す平面図であって、（ａ）は照明装置２０Ａを示し、（ｂ）は照明装置２０Ｂを示し、（ｃ）は照明装置２０Ｃを示し、（ｄ）は照明装置２０Ｄを示し、（ｅ）は（ａ）に示される照明装置２０Ａの範囲Ｒを示す。なお、図１４の（ａ）〜（ｅ）は、照明装置２０Ａ〜２０Ｄの、天井５０に平行（水平）であるとともに電源部８を含む断面における平面図である。また、上記断面は、照明装置２０Ａ〜２０Ｄの電源格納部３０の断面でもある。
【００５９】
図１４の（ａ）〜（ｄ）に示されるＡ〜Ｃは、それぞれ、図１３の（ｂ）に示される位置Ａ〜Ｃに対応している。
【００６０】
図１４の（ａ）では、照明装置２０Ａの対向面Ｓ（図１２の（ｂ）参照）と接している４面は、上記断面において、第１辺ａ（一面）、第２辺ｂ（他面）、第３辺ｃ、第４辺ｄとして示されている。
【００６１】
図１４の（ａ）に示されるように、照明装置２０Ａは、端子台３９ａを備える。端子台３９ａには、配線３７が、配線穴３６を介し接続されている。そして、端子台３９ａは、配線３７を中継している。中継された配線３７は、第３辺ｃを貫通し、照明装置２０Ｂへ引き回されている。また、端子台３９ａは、配線３７を分岐させている。分岐された配線３７ａは、電源部８に接続される。
【００６２】
図１４の（ｂ）に示されるように、照明装置２０Ｂは、端子台３９ｂを備える。端子台３９ｂには、照明装置２０Ａから引き回された配線３７が、接続されている。そして、端子台３９ｂは、配線３７を中継している。中継された配線３７は、照明装置２０Ｃへ引き回されている。なお、配線３７は、照明装置２０Ｂの対向面Ｓと接している面を、適宜貫通している。また、端子台３９ｂは、配線３７を分岐させている。分岐された配線３７ｂは、電源部８に接続される。
【００６３】
図１４の（ｃ）に示されるように、照明装置２０Ｃは、端子台３９ｃを備える。端子台３９ｃには、照明装置２０Ｂから引き回された配線３７が、接続されている。そして、端子台３９ｃは、配線３７を中継している。中継された配線３７は、照明装置２０Ｄへ引き回されている。なお、配線３７は、照明装置２０Ｃの対向面Ｓと接している面を、適宜貫通している。また、端子台３９ｃは、配線３７を分岐させている。分岐された配線３７ｃは、電源部８に接続される。
【００６４】
図１４の（ｄ）に示されるように、照明装置２０Ｄは、端子台３９ｄを備える。端子台３９ｄには、照明装置２０Ｃから引き回された配線３７が、接続されている。なお、配線３７は、照明装置２０Ｄの対向面Ｓと接している面を、適宜貫通している。そして、端子台３９ｄは、配線３７を中継している。中継された配線３７は、電源部８に接続される。なお、この中継された配線３７は、端子台３９ｄを介さずに電源部８へ接続されてもよい。この場合、照明装置２０Ｄは、端子台３９ｄを備えなくてもよい。
【００６５】
照明装置２０Ａの端子台３９ａは、配線３７（外部配線）に接続される入力端子と、電源部８に接続される分岐端子と、他の照明装置に接続される中継端子とを有し、照明装置２０Ａの電源格納部３０の内部に配されている。照明装置２０Ｂ〜２０Ｄの端子台３９ｂ〜３９ｄについても同様である。
【００６６】
なお、図１４の（ａ）〜（ｄ）に示されるように、複数の照明装置を連結しているような場合には、配線穴３６が設けられた照明装置において、この配線穴３６の縁に、例えば樹脂性の絶縁キャップ３６１（図３の（ｃ）〜（ｄ）参照）を設けることが好ましい。これにより、電線が金属製の本体シャーシ７で擦れてショートすることを防止できる。特に、複数の照明装置を連結しているような場合には、電線のショートによる影響が、全ての照明装置に波及し得る。この場合にも、絶縁キャップ３６１は、電線のショートを有効に防止できる。
【００６７】
（突出部の位置）
図１４の（ｅ）に示されるように、第１辺ａと突出部３４との間の最短距離である第１最短距離Ｄａ（最短距離）は、第２辺ｂと突出部３４との間の最短距離である第２最短距離Ｄｂ（最短距離）よりも長い。これにより、第１辺ａと電源部８との間に、電源ライン（配線３７）を引き回すことができる。この電源ラインは、例えば、ＶＶＦ（Vinyl insulated Vinyl sheeted Flat-type）線である。また、電源ライン（配線３７）には、アース線も含まれる。以上の構成によれば、電源部８の、対向面Ｓの法線が延びる方向（電源格納部３０の厚み方向）に広げ電源ラインを引き回す必要がなくなるため、照明装置２０Ａをさらに薄型化できる。
【００６８】
なお、第１最短距離Ｄａを、第２辺ｂと突出部３４との間の最短距離とし、かつ、第２最短距離Ｄｂを、第１辺ａと突出部３４との間の最短距離としてもよい。換言するならば、照明装置２０Ａ（が備える電源格納部３０）の対向面Ｓと接している面である筐体側面のうちの一面と突出部３４との間の最短距離を、当該一面に対向する上記筐体側面のうちの他面と突出部３４との間の最短距離よりも長くしてもよい。
【００６９】
以上は、照明装置２０Ｂ・２０Ｃについても同様である。また、照明装置２０Ｄから他の照明装置へさらに配線を引き回す場合には、照明装置２０Ｄについても同様である。なお、配線穴３６を設ける照明装置は、照明装置２０Ａに限定されるわけではなく、照明装置２０Ｂ〜２０Ｄのうちのいずれかの照明装置であってもよい。この場合、配線穴３６を設けた照明装置から他の照明装置へ、配線を中継・分岐させればよい。また、連結される照明装置は、４台の照明装置２０Ａ〜２０Ｄに限られるわけではない。４台よりも多くの照明装置を連結してもよいし、２台以上４台未満の照明装置を連結してもよい。
【００７０】
以上の照明装置を連結した照明装置２５も、本発明に含まれる。
【００７１】
≪本実施形態の効果≫
以上の構成では、一台の照明装置（例えば、照明装置２０Ａ）にのみ配線穴３６を設け、照明装置の内部にて中継・分岐させた配線を、照明装置の電源部まで引き回せばよいため、照明装置を設置する部材側の作業空間（例えば、天井裏）が狭くても、容易に複数の照明装置を連結できる。
【００７２】
〔実施形態３〕
本発明の第３実施形態について、図１５に基づき説明する。なお、説明の便宜上、上述の実施形態にて説明した部材と同じ機能を有する部材については、同じ符号を付記し、その説明を省略する。
【００７３】
≪電源部を分割する構成≫
図１５は、本実施形態の照明装置２０ａ・２０ｂの構成を示す断面図であって、（ａ）は照明装置２０ａを示し、（ｂ）は照明装置２０ｂを示す。
【００７４】
図１５の（ａ）に示されるように、照明装置２０ａは、電源格納部３０ａと、光源格納部４０とを備える。電源格納部３０ａは、複数の突起３３と、突出部３４および電源部８と、突出部３４ａ（他の突出部）および電源部８ａ（物品）とを備える。電源部８ａは、電源格納部３０ａの突出部３４ａを設けている位置の内部に配される。電源部８と、電源部８ａとは、配線３７Ａにより接続されている。配線３７を介し電源部８に供給される電力は、配線３７Ａを介し電源部８ａにも供給される。
【００７５】
≪本実施形態の効果≫
上述のように、突出部３４は、取付穴３５（図２の（ｃ）参照）と配線穴３６との間に形成される。ゆえに、電源部８の位置は、取付穴３５と配線穴３６との位置に依存する。
【００７６】
配線穴３６は、その位置が照明装置に関する規格にて定められており、例えば、対向面Ｓの中心に設けざるを得ないことがある。この場合、突出部３４は、対向面Ｓの中心付近に設けられない。よって、電源部８は、トランスや金属製のシールドなどを含むため重いにもかかわらず、電源格納部３０ａの対向面Ｓの中心付近の内部に設けられなくなる。
【００７７】
仮に、電源格納部３０ａが、電源部として電源部８のみしか備えない場合、電源格納部３０ａの重心は、電源格納部３０ａの中心に位置しない（いわゆるアンバランスの状態）。しかし、電源格納部３０ａでは、電源部を電源部８と電源部８ａとに分離（左右に分離）することで、電源格納部３０ａの重心は、電源格納部３０ａの中心に近づけることができる。
【００７８】
以上より、照明装置２０ａを天井５０に固定するための固定治具、固定ネジなどへの荷重が均等になる。ゆえに、照明装置２０ａは、長期的に安定な状態を維持できる。
【００７９】
（分割された電源部の位置）
図１５の（ｂ）に示されるように、照明装置２０ｂは、電源格納部３０ｂと、光源格納部４０とを備える。電源格納部３０ｂは、電源格納部３０ａと同様の構成を備えるものの、突出部３４ａおよび電源部８ａを備えず、突出部３４ａとは異なる位置に配された突出部３４ｂ（他の突出部）および電源部８ａとは異なる位置に配された電源部８ｂ（物品）を備える。電源部８と、電源部８ｂとは、配線３７Ｂにより接続されている。配線３７を介し電源部８に供給される電力は、配線３７Ｂを介し電源部８ｂにも供給される。
【００８０】
ここで、以下に列挙する変数を定義する。
・Ｗ１：電源部８・８ｂのうちの一方の重量
・Ｗ２：電源部８・８ｂのうちの他方の重量
・Ｌ１：重量がＷ１である電源部の重心と、照明装置２０ｂの中心との間の距離
・Ｌ２：重量がＷ２である電源部の重心と、照明装置２０ｂの中心との間の距離
なお、照明装置２０ｂの中心は、本実施形態の例では、配線穴３６の位置に対応する。このとき、以上の変数の関係は、Ｗ１×Ｌ１＝Ｗ２×Ｌ２となることが好ましい。これにより、確実に、照明装置２０ｂの重心は、照明装置２０ｂの中心に位置する。ゆえに、照明装置２０ｂは、さらに長期的に安定な状態を維持できる。
【００８１】
〔実施形態４〕
本発明の第４実施形態について、図１６に基づき説明する。なお、説明の便宜上、上述の実施形態にて説明した部材と同じ機能を有する部材については、同じ符号を付記し、その説明を省略する。
【００８２】
≪電源部を固定するための構成≫
図１６は、本実施形態の照明装置２０の電源格納部３０の構成を示す図であって、（ａ）は断面図であり、（ｂ）は側面図であり、（ｃ）は（ｂ）において電源格納部３０に格納されている電源部８が存在しない場合の側面図である。なお、図１６の（ａ）は、図１２の（ｂ）の範囲Ｔを拡大した図である。
【００８３】
図１６の（ａ）〜（ｂ）に示されるように、電源部８は、差込固定部８１（露出部）と、締結固定部８２とを備える。差込固定部８１は、突出部３４を貫通し、かつ、対向面Ｓに露出している。これにより、差込固定部８１は、電源格納部３０に固定されている。また、締結固定部８２は、ネジ８３により、電源格納部３０に固定されている。
【００８４】
そして、差込固定部８１に対応し、突出部３４の周縁には、穴Ｈが設けられている。また、締結固定部８２に対応し、対向面Ｓには、ネジ穴Ｉ（穴）が設けられている。
【００８５】
図１６の（ｃ）に示されるように、穴Ｈ（太線部分）は、突出部３４の側面に開口している。
【００８６】
≪本実施形態の効果≫
差込固定部８１をの穴Ｈに差し込むことにより、電源部８の一端を、ネジなどを用いずに電源格納部３０へ固定できる。よって、電源部８を電源格納部３０に固定する固定作業を減らすことができる。したがって、電源格納部３０の製造において、作業工数の削減と、固定用部材（ネジ）の削減とを図ることができる。
【００８７】
なお、配線穴３６（図１２の（ｂ）参照）は、必須ではない。そして、差込固定部８１に電源部８の電力入力端子を設け、この電力入力端子に外部から電力を供給する配線を接続してもよい。これにより、電源格納部３０の製造において、作業工数のさらなる削減を図ることができる。
【００８８】
また、対向面Ｓに配線穴３６が存在しなければ、対向面Ｓに突出部３４を設けるときの自由度が向上する。例えば、照明装置２０（図１２の（ｂ）参照）の重心が、照明装置２０の中心に位置するように、電源格納部３０の、突出部３４の位置の内部に、電源部８を設けることができる。
【００８９】
〔実施形態５〕
本発明の第５実施形態について、図１７に基づき説明する。なお、説明の便宜上、上述の実施形態にて説明した部材と同じ機能を有する部材については、同じ符号を付記し、その説明を省略する。
【００９０】
≪形状が異なる照明装置の構成≫
図１７は、本実施形態の照明装置２０ｃの構成を示す図であって、（ａ）は照明装置２０ｃの上面図であり、（ｂ）は照明装置２０ｃの正面図である。
【００９１】
図１７の（ａ）〜（ｂ）に示されるように、照明装置２０ｃは、円板形状の電源格納部３０ｃと、円板形状の光源格納部４０ｃとを備える。電源格納部３０ｃは、３個の突起３３と、突出部３４とを備える。
【００９２】
このように、照明装置の形状（電源格納部および光源格納部の形状）は、上述の実施形態で示された形状に限定されず、円板形状、ドーム形状、および多角柱形状、ならびに、これらを組み合わせた形状であってもよい。
【００９３】
なお、電源格納部３０ｃには、配線穴を適宜設けてよい。電源格納部が格納する物品（電源部など）は、この配線穴の位置に応じて配してよい。また、電源格納部３０ｃは、突出部３４の他に、上述の突出部３４ａまたは３４ｂをさらに備えてよい。これに応じ、電源格納部３０ｃは、電源部８ａまたは８ｂをさらに格納してよい。
【００９４】
≪本実施形態の効果≫
薄くかつ所望の外観の電源格納部３０ｃおよび照明装置２０ｃを提供できる。特に、電源格納部３０ｃおよび照明装置２０ｃは、円板形状またはリング形状の光源を備えた室内照明灯に好適である。
【００９５】
〔実施形態６〕
本発明の第６実施形態について、図１８に基づき説明する。なお、説明の便宜上、上述の実施形態にて説明した部材と同じ機能を有する部材については、同じ符号を付記し、その説明を省略する。
【００９６】
≪電源格納部の一部が天井に接する照明装置の構成≫
図１８は、本実施形態の照明装置２０ｄの構成を示す正面図である。
【００９７】
図１８に示されるように、照明装置２０ｄは、電源格納部３０ｄと、光源格納部４０とを備える。電源格納部３０ｄは、対向面Ｓから天井５０側へ突起する少なくとも１個の突起３３を備える。電源格納部３０ｄでは、突起３３と、電源格納部３０ｄの角部Ｅとが、天井５０に接している。角部Ｅは、電源格納部３０ｄの辺、頂点、または凸部である。
【００９８】
このように、天井５０と対向面Ｓとの間に空間を形成できるのであれば、突起３３の個数は、上述の実施形態で示された個数に限定されない。
【００９９】
≪本実施形態の効果≫
角部Ｅを突起３３と併用することにより、対向面Ｓに設ける突起３３の個数を最小限に抑えることができる。これにより、電源格納部３０ｄの製造において、作業工数の削減を図ることができる。
【０１００】
〔実施形態７〕
本発明の第７実施形態について、図１９に基づき説明する。なお、説明の便宜上、上述の実施形態にて説明した部材と同じ機能を有する部材については、同じ符号を付記し、その説明を省略する。
【０１０１】
≪電源部を格納するための穴を備える構成≫
図１９は、本実施形態の照明装置２０ｅの構成を示す図であって、（ａ）は上面図であり、（ｂ）は（ａ）のＡ−Ａ断面の断面図である。
【０１０２】
図１９の（ａ）〜（ｂ）に示されるように、照明装置２０ｅは、電源格納部３０ｅと、光源格納部４０とを備える。電源格納部３０ｅは、天井５０に対向する対向面Ｓｅを有する。対向面Ｓｅには、４個の突起３３と、穴３４ｅと、配線穴３６とが設けられている。穴３４ｅは、対向面Ｓｅの配線穴３６付近の領域（一領域）に設けられている。突起３３は、対向面Ｓｅの端部付近の領域（他の領域）から天井５０に突起しており、天井５０に接している。
【０１０３】
≪本実施形態の効果≫
穴３４ｅを、図１９の（ａ）〜（ｂ）において破線で示される上述の電源部８を格納するための穴として利用できる。これにより、電源部８の一部を、突起３３が形成した天井５０と対向面Ｓｅとの間の空間に露出させることができる。つまり、電源格納部３０ｅは、電源部８の他の一部のみを格納すればよい。以上より、電源格納部３０ｅおよび照明装置２０ｅを薄くできる。
【０１０４】
なお、配線穴３６は必須ではない。そして、電源部８の上記空間への露出部に、外部から電力を供給する配線を接続してもよい。これにより、電源格納部３０ｅの製造において、作業工数の削減を図ることができる。
【０１０５】
また、対向面Ｓｅに配線穴３６が存在しなければ、対向面Ｓｅに穴３４ｅを設けるときの自由度が向上する。例えば、照明装置２０ｅ（または電源格納部３０ｅ）の重心が、照明装置２０ｅ（または電源格納部３０ｅ）の中心に位置するように、電源格納部３０ｅの、穴３４ｅの位置の内部に、電源部８を設けることができる。
【０１０６】
また、穴３４ｅの形状は、電源部８を対向面Ｓに射影した形状と同一の形状である。これにより、電源部８は、穴３４ｅに嵌合され、電源格納部３０ｅに固定される。しかし、電源部８が（例えば、別の固定部材などにより）電源格納部３０ｅに固定されているのであれば、穴３４ｅの形状は、電源部８を対向面Ｓに射影した形状よりも大きくてもよい。
【０１０７】
本実施形態において、電源部８は、上述の差込固定部８１、締結固定部８２、または他の部材により、電源格納部３０ｅに固定されてよい。
【０１０８】
〔まとめ〕
本発明の態様１に係る筐体（電源格納部３０・３０ａ〜３０ｄ）は、所定の部材（天井５０）に設置するための筐体であって、上記部材に対向する対向面Ｓと、上記対向面の一領域から上記部材側に突出している突出部３４と、上記対向面の他の領域から上記部材側に突起しており、上記部材に接している突起３３とを備える。
【０１０９】
上記構成によれば、以下に列挙する効果が得られる。
・突出部が、対向面よりも部材側に突出しているため、突出部以外での筐体の厚みを突出部での筐体の厚みよりも薄くできる。
・突起が、部材に接するため、部材と対向面との間に空間を形成できる。
【０１１０】
そして、対向面において、突出部が突出している領域と、突起が突起している領域とは、異なっているため、突出部の少なくとも一部は、この空間に突出できる。以上より、筐体を薄くできる。さらに、筐体は、突起により部材の凹凸を吸収できる。
【０１１１】
以上の筐体は、特に、照明装置の電源部を格納する筐体に好適であるが、これに限定されない。この筐体は、例えば、表示装置、タッチパネル、携帯型端末などの構成部材を格納する筐体にも好適である。筐体を設置する対象である部材は、例えば、天井、壁、移動体である。
【０１１２】
本発明の態様２に係る筐体では、上記態様１において、上記突出部が上記部材側に突出している長さｌは、上記突起が上記部材側に突起している長さＬよりも小さくてよい。
【０１１３】
上記構成によれば、突出部は、確実に、突起が形成した、部材と対向面との間の空間に収まる。よって、部材の表面の一部が平坦でなくても、確実に筐体を部材へ設置できる。
【０１１４】
本発明の態様３に係る筐体では、上記態様１または２において、上記筐体の、上記対向面と接している面である筐体側面のうちの一面（第１辺ａ）と、上記突出部との間の最短距離（第１最短距離Ｄａ）は、当該一面に対向する上記筐体側面のうちの他面（第２辺ｂ）と、上記突出部との間の最短距離（第２最短距離Ｄｂ）よりも長くてよい。
【０１１５】
上記構成によれば、筐体側面のうちの一面と突出部との間に空間を形成できる。例えば、筐体の、突出部が設けられている位置の内部に電源部を格納する場合、電源部に接続する電源ラインを、この空間に引き回せる。
【０１１６】
本発明の態様４に係る筐体は、上記態様１から３のいずれか一態様において、上記対向面の、上記突出部が突出していない領域であるとともに、上記突起が突起していない領域から上記部材側に突出している他の突出部３４ａ・３４ｂをさらに備えてよい。
【０１１７】
上記構成によれば、筐体の、突出部の位置の内部と、他の突出部の位置の内部とに、重量物（例えば、電源部）を格納できる。よって、重量物が格納されている筐体の重心を、筐体の中心へ近づける（筐体の重量バランスが取れる）余地がうまれる。
【０１１８】
本発明の態様５に係る筐体では、上記態様１から４のいずれか一態様において、上記突出部の周縁には、上記筐体に格納する物品（電源部８・８ａ・８ｂ）を差し込むための穴Ｈが設けられていてよい。
【０１１９】
上記構成によれば、筐体の、突出部の位置の内部に物品（例えば、電源部）を格納する場合、物品の一端を、穴に差し込むことにより、ネジなどを用いずに筐体へ固定できる。よって、物品を筐体に固定する固定作業を減らすことができる。したがって、筐体の製造において、作業工数の削減と、固定用部材（ネジ）の削減とを図ることができる。
【０１２０】
本発明の態様６に係る筐体では、上記態様１から５のいずれか一態様において、上記筐体の形状は、円板形状、ドーム形状、および多角柱形状、ならびに、これらを組み合わせた形状のいずれかであってよい。
【０１２１】
上記構成によれば、薄くかつ所望の外観の筐体を提供できる。特に、円板形状の筐体は、円板形状またはリング形状の光源を備えた室内照明灯に好適である。
【０１２２】
本発明の態様７に係る筐体では、上記態様１から６のいずれか一態様において、上記筐体の角部Ｅは、上記部材に接していてよい。
【０１２３】
上記構成によれば、角部を突起と併用することにより、対向面に設ける突起の個数を最小限に抑えることができる。これにより、筐体の製造において、作業工数の削減を図ることができる。
【０１２４】
本発明の態様８に係る筐体（電源格納部３０ｅ）は、所定の部材（天井５０）に設置するための筐体であって、上記部材に対向しており、一領域に穴３４ｅが設けられている対向面Ｓｅと、上記対向面の他の領域から上記部材側に突起しており、上記部材に接している突起３３とを備える。
【０１２５】
上記構成によれば、対向面に設けられた穴を、筐体に格納する物品をはめ込むための穴として利用できる。これにより、物品の一部を、突起が形成した部材と対向面との間の空間に露出させることができる。つまり、筐体は、物品の他の一部のみを格納すればよい。以上より、筐体を薄くできる。
【０１２６】
また、物品が、電力を供給する電源部である場合、この電源部の上記空間への露出部に、外部から電力を供給する配線を接続してもよい。これにより、筐体の製造において、配線穴を別途設ける必要がないため、作業工数の削減を図ることができる。
【０１２７】
本発明の態様９に係る照明装置２０・２０Ａ〜２０Ｄ・２０ａ〜２０ｄ・２５は、上記態様１から７のいずれか一態様における筐体と、上記筐体の、上記突出部が設けられている位置の内部に、少なくとも一部が格納されている電源部８・８ａ・８ｂと、上記電源部から電力を供給され発光する光源（ＬＥＤ実装基板４）とを備える。
【０１２８】
本発明の態様１０に係る照明装置２０ｅは、上記態様８における筐体と、少なくとも一部が上記筐体に格納されており、上記穴に配されている電源部８・８ａ・８ｂと、上記電源部から電力を供給され発光する光源（ＬＥＤ実装基板４）とを備える。
【０１２９】
上記構成によれば、照明装置は、上述の筐体が奏する効果と同様の効果を奏する。
【０１３０】
本発明の態様１１に係る照明装置では、上記態様９または１０において、外部配線（配線３７）に接続される入力端子と、上記電源部に接続される分岐端子と、他の上記照明装置に接続される中継端子とを有し、上記筐体内部に配されている端子台３９ａ〜３９ｄをさらに備えてよい。
【０１３１】
上記構成によれば、筐体内部で配線を引き回せるため、容易に照明装置を連結できる。
【０１３２】
本発明の態様１２に係る照明装置では、上記態様９から１１のいずれか一態様において、上記電源部は、上記筐体の内部から上記部材側に露出した露出部（差込固定部８１）を備えてよい。
【０１３３】
上記構成によれば、電源部の、突起が形成した部材と対向面との間の空間への露出部に、外部から電力を供給する配線を接続できる。これにより、照明装置の製造において、配線穴を別途設ける必要がないため、作業工数の削減を図ることができる。
【０１３４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３５】
本発明は、照明装置だけではなく、表示装置、タッチパネル、携帯型端末などにも利用することができる。
【符号の説明】
【０１３６】
４  ＬＥＤ実装基板（光源）
８・８ａ・８ｂ  電源部（物品）
２０・２０Ａ〜２０Ｄ・２０ａ〜２０ｅ・２５  照明装置
３０・３０ａ〜３０ｅ  電源格納部（筐体）
３３  突起
３４  突出部（突出部）
３４ａ・３４ｂ  突出部（他の突出部）
３４ｅ  穴
３７  配線（外部配線）
３９ａ〜３９ｄ  端子台
５０  天井（部材）
８１  差込固定部（露出部）
Ｄａ  第１最短距離（最短距離）
Ｄｂ  第２最短距離（最短距離）
Ｅ  角部
Ｈ  穴
Ｉ  ネジ穴（穴）
Ｓ・Ｓｅ  対向面
ａ  第１辺（一面）
ｂ  第２辺（他面）
【図１】
2016052485.tif 000003
【図２】
2016052485.tif 000004
【図３】
2016052485.tif 000005
【図４】
2016052485.tif 000006
【図５】
2016052485.tif 000007
【図６】
2016052485.tif 000008
【図７】
2016052485.tif 000009
【図８】
2016052485.tif 000010
【図９】
2016052485.tif 000011
【図１０】
2016052485.tif 000012
【図１１】
2016052485.tif 000013
【図１２】
2016052485.tif 000014
【図１３】
2016052485.tif 000015
【図１４】
2016052485.tif 000016
【図１５】
2016052485.tif 000017
【図１６】
2016052485.tif 000018
【図１７】
2016052485.tif 000019
【図１８】
2016052485.tif 000020
【図１９】
2016052485.tif 000021
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
所定の部材に設置するための筐体であって、
上記部材に対向する対向面と、
上記対向面の一領域から上記部材側に突出することにより、上記筐体に格納する物品を配置するための内部空間を形成する突出部と、
上記対向面の他の領域から上記部材側に突起しており、上記部材に接する突起と、
を備える筐体。
【請求項２】
上記突出部が上記部材側に突出している長さは、上記突起が上記部材側に突起している長さよりも小さいことを特徴とする請求項１に記載の筐体。
【請求項３】
上記突出部の周縁には、上記筐体に格納する上記物品を差し込むための穴が設けられていることを特徴とする請求項１または２に記載の筐体。
【請求項４】
上記筐体の形状は、円板形状、ドーム形状、および多角柱形状、ならびに、これらを組み合わせた形状のいずれかであることを特徴とする請求項１から３のいずれか一項に記載の筐体。
【請求項５】
請求項１から４のいずれか一項に記載の筐体と、
上記筐体の、上記突出部が設けられている位置の内部に、少なくとも一部が格納されている電源部と、
上記電源部から電力を供給され発光する光源と、
を備えることを特徴とする照明装置。
【手続補正２】
【補正対象書類名】明細書
【補正対象項目名】０００７
【補正方法】変更
【補正の内容】
【０００７】
上記の課題を解決するために、本発明の第１の態様に係る筐体は、所定の部材に設置するための筐体であって、上記部材に対向する対向面と、上記対向面の一領域から上記部材側に突出することにより、上記筐体に格納する物品を配置するための内部空間を形成する突出部と、上記対向面の他の領域から上記部材側に突起しており、上記部材に接する突起とを備える。
【国際調査報告】
2016052485.tif 000022
2016052485.tif 000023
2016052485.tif 000024
2016052485.tif 000025